【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
取り付け構造体と、
固定構造体と、
第１の部分と第２の部分と第３の部分とを含むインシュレータ支持構造体と、
第１の部分と第２の部分とを含む端子構造体と、
第１の部分と第２の部分とを含む導電構造体と、
サーモスタット構造体とを備え、
固定構造体は、インシュレータ支持構造体の第１の部分と取り付け構造体と協働して、インシュレータ支持構造体を取り付け構造体に取り外し可能且つ堅固に固定するように構成、配置されていることと、
インシュレータ支持構造体の第２の部分は、端子構造体と協働して端子構造体をインシュレータ支持構造体に取り外し可能且つ堅固に固定するように構成、配置されていることと、
インシュレータ支持構造体の第３の部分は、導電構造体の第１の部分と協働して、導電構造体をインシュレータ支持構造体に取り外し可能且つ堅固に固定するように構成、配置されていることと、
端子構造体の第１の部分は、導電構造体の第２の部分と連結するように構成、配置されているとともに端子構造体の第２の部分は、サーモスタット構造体と連結するように構成、配置されていることと、
インシュレータ支持構造体は、サーモスタット構造体と導電構造体を所定位置に支持するように構成、配置されていることとを特徴とする、加熱器組立体。
【請求項２】
インシュレータ支持構造体の第１の部分は、インシュレータ支持構造体の中心部を含むことと、
インシュレータ支持構造体の第２の部分は、インシュレータ支持構造体の第１の端部を含むことと、
インシュレータ支持構造体の第３の部分はインシュレータ支持構造体の第２の端部を含むこととを特徴とする、請求項１に記載の加熱器組立体。
【請求項３】
インシュレータ支持構造体の第２の部分は、貫通するように形成された端子受容開口を含むことと、
端子受容開口は、端子構造体と協働して、端子構造体をインシュレータ支持構造体に取り外し可能且つ堅固に固定するように構成、配置されていることとを特徴とする、請求項１に記載の加熱器組立体。
【請求項４】
インシュレータ支持構造体の端子受容開口は、インシュレータ支持構造体の外縁部まで延在するように構成、配置されていることを特徴とする、請求項３に記載の加熱器組立体。
【請求項５】
インシュレータ支持構造体の第３の部分は、貫通して形成された導電体受容開口を含むことと、
導電体受容開口は、導電構造体の第１の部分と協働して、導電構造体をインシュレータ支持構造体に取り外し可能且つ堅固に固定するように構成、配置されていることとを特徴とする、請求項１に記載の加熱器組立体。
【請求項６】
インシュレータ支持構造体の導電体受容開口は、インシュレータ支持構造体の外縁部まで延在するように構成、配置されていることを特徴とする、請求項５に記載の加熱器組立体。
【請求項７】
取り付け構造体と、
固定構造体と、
貫通して形成された端子受容開口を含むインシュレータ支持構造体と、
端子構造体の軸に対し第１の断面形状部および第２の断面形状部の少なくとも一方を有する外表面を含む端子構造体と、
導電構造体とを備え、
固定構造体が、インシュレータ支持構造体と取り付け構造体と協働して、インシュレータ支持構造体を取り付け構造体に取り外し可能且つ堅固に固定するように構成、配置されていることと、
端子構造体が、導電構造体に連結するように構成、配置されていることと、
インシュレータ支持構造体の端子受容開口が、端子構造体と協働して、端子構造体をインシュレータ支持構造体に取り外し可能且つ堅固に固定するとともに、第１の断面形状部と第２の断面形状部を受容するように構成、配置されていることとを特徴とする加熱器組立体。
【請求項８】
取り付け構造体と、
固定構造体と、
インシュレータ支持構造体と、
第１の部分と第２の部分とを含む、導電構造体と、
端子構造体と、
サーモスタット構造体とを備え、
固定構造体が、インシュレータ支持構造体と取り付け構造体と協働して、インシュレータ支持構造体を取り付け構造体に取り外し可能且つ堅固に固定するように構成、配置されていることと、
端子構造体が、導電構造体の第１の部分に連結され、導電構造体に電力を供給するように構成、配置されていることと、
サーモスタット構造体が、導電構造体の第２の部分に連結されるように構成、配置されており、
インシュレータ支持構造体が、端子構造体とサーモスタット構造体と協働し、端子構造体とサーモスタット構造体の一方を所定位置に固定して支持するように構成、配置されていることとを特徴とする、加熱器組立体。
【請求項９】
固定構造体が、インシュレータ支持構造体と係合する第１の部分と、取り付け構造体と係合する第２の部分とを含むことを特徴とする、請求項１，７又は８に記載の加熱器組立体。
【請求項１０】
固定構造体の第１の部分がタブを含むことと、
インシュレータ支持構造体が、タブを受容するように構成、配置されたタブ受容開口を含むこととを特徴とする、請求項９に記載の加熱器構造体。
【請求項１１】
固定構造体の第２の部分がタブを含むことと、
取り付け構造体が、タブを受容するように構成、配置されたタブ受容部を含むこととを特徴とする、請求項９に記載の加熱器組立体。
【請求項１２】
固定構造体の第２の部分が、取り付け構造体に溶接されていることを特徴とする、請求項９に記載の加熱器組立体。
【請求項１３】
固定構造体の第２の部分が、取り付け構造体に締め付けるように構成、配置された、折り曲げ可能な締め付けタブを含むことを特徴とする、請求項９に記載の加熱器組立体。
【請求項１４】
取り付け構造体が、取り付け構造体の軸に対してＴ字型断面を有する外表面を含むことと、
固定構造体の折り曲げ可能な締め付けタブが、Ｔ字型断面を有する取り付け構造体の外表面に締め付けられていることとを特徴とする、請求項１３に記載の加熱器組立体。
【請求項１５】
固定構造体の折り曲げ可能な締め付けタブが、畝部と茎部を含むＴ字型構造体を含むことを特徴とする、請求項１３に記載の加熱器組立体。
【請求項１６】
固定構造体の畝部が、取り付け構造体の周囲で折り曲げ可能な折り曲げ可能フラップを複数形成するように構成、配置された一組の端部を含むことを特徴とする、請求項１５に記載の加熱器組立体。
【請求項１７】
固定構造体の第２の部分が、取り付け構造体に溶接され、締め付けられるように構成、配置されていることを特徴とする、請求項９に記載の加熱器組立体。
【請求項１８】
取り付け構造体が、フレームレールを含むことを特徴とする、請求項９に記載の加熱器組立体。
【請求項１９】
サーモスタット構造体が、インラインサーモスタット構造体を含むことを特徴とする、請求項１又は８に記載の加熱器組立体。
【請求項２０】
端子構造体が、端子構造体の軸に対して、少なくとも第１の断面形状部と第２の断面形状部の一方を有する外表面を含むことと、
インシュレータ支持構造体の第２の部分が第１の断面形状部および第２の断面形状部を受容するように構成、配置されていることとを特徴とする、請求項１に記載の加熱器組立体。
【請求項２１】
端子構造体とサーモスタット構造体の少なくとも一方が、端子構造体とサーモスタット構造体の少なくとも一方の軸に対する第１の断面形状部と第２の断面形状部の少なくとも一方を有する外表面を含むことと、
インシュレータ支持構造体が、第１の断面形状部と第２の断面形状部と協働するように構成、配置されていることとを特徴とする、請求項８に記載の加熱器組立体。
【請求項２２】
第１の断面形状部が、円形、正方形、長方形および楕円形のうちの一つを含むことと、
第２の断面形状部が円形、正方形、長方形、および楕円形のうちの別の一つを含むこととを特徴とする請求項７，２０又は２１に記載の加熱器組立体。
【請求項２３】
固定構造体が、クリップ構造体を含むことを特徴とする、請求項８に記載の加熱器組立体。
【請求項２４】
固定構造体を介して、インシュレータ支持構造体を取り付け構造体に固定する工程と、
端子構造体と導電構造体とをインシュレータ支持構造体に固定する工程と、
インシュレータ支持構造体を使ってサーモスタット構造体と導電構造体を所定位置に支持する工程とを含み、
インシュレータ支持構造体が、第１の部分と、第２の部分と、第３の部分とを含むことと、
端子構造体が、第１の部分と第２の部分とを含むことと、
導電構造体が第１の部分と第２の部分とを含むことと、
固定構造体が、インシュレータ支持構造体の第１の部分と取り付け構造体と協働して、インシュレータ支持構造体を取り付け構造体に取り外し可能且つ堅固に固定するように構成、配置されていることと、
インシュレータ支持構造体の第２の部分が、端子構造体と協働して、端子構造体をインシュレータ支持構造体に取り外し可能且つ堅固に固定するように構成、配置されていることと、
インシュレータ支持構造体の第３の部分が、導電構造体の第１の部分と協働して、導電構造体をインシュレータ支持構造体に取り外し可能且つ堅固に固定するように構成、配置されていることと、
端子構造体の第１の部分が、導電構造体の第２の部分に連結されるように構成、配置され、端子構造体の第２の部分が、サーモスタット構造体に連結されるように構成、配置されていることとを特徴とする、加熱器を組み立てる方法。
【請求項２５】
インシュレータ支持構造体の第１の部分が、インシュレータ支持構造体の中央部を含むことと、
インシュレータ支持構造体の第２の部分が、インシュレータ支持構造体の第１の端部を含むことと、
インシュレータ支持構造体の第３の部分が、インシュレータ支持構造体の第２の端部を含むこととを特徴とする、請求項２４に記載の方法。
【請求項２６】
インシュレータ支持構造体の第２の部分が、貫通して形成された端子受容開口を含むことと、
端子受容開口が、端子構造体と協働し、端子構造体をインシュレータ支持構造体に取り外し可能且つ堅固に固定するように構成、配置されていることとを特徴とする、請求項２４に記載の方法。
【請求項２７】
インシュレータ支持構造体の第３の部分が、貫通して形成した導電体受容開口を含むことと、
導電体受容開口が、導電構造体の第１の部分と協働し、導電構造体をインシュレータ支持構造体に取り外し可能且つ堅固に固定するように構成、配置されていることとを特徴とする、請求項２４に記載の方法。
【請求項２８】
固定構造体を介して、インシュレータ支持構造体を取り付け構造体に固定する工程と、
端子構造体を導電構造体に連結する工程と、
端子構造体をインシュレータ支持構造体に固定する工程とを含み、
インシュレータ支持構造体が、貫通して形成された端子受容開口を含むことと、
端子構造体が、端子構造体の軸に対する第１の断面形状部と第２の断面形状部の少なくとも一方を有する外表面を含むことと、
固定構造体が、インシュレータ支持構造体と取り付け構造体とに協働して、インシュレータ支持構造体を取り付け構造体に取り外し可能且つ堅固に固定するように構成、配置されていることと、
インシュレータ支持構造体の端子受容開口が、端子構造体と協働して、端子構造体をインシュレータ支持構造体に取り外し可能且つ堅固に固定し、第１の断面形状部と第２の断面形状部を受容するように構成、配置されていることとを特徴とする、加熱器を組み立てる方法。
【請求項２９】
固定構造体を介して、インシュレータ支持構造体を取り付け構造体に固定する工程と、
端子構造体とサーモスタット構造体を導電構造体に連結する工程と、
インシュレータ支持構造体を使って、端子構造体とサーモスタット構造体の一方を所定位置に支持する工程とを備え、
導電構造体が、第１の部分と第２の部分を含むことと、
固定構造体が、インシュレータ支持構造体と取り付け構造体と協働して、インシュレータ支持構造体を取り付け構造体に取り外し可能且つ堅固に固定するように構成、配置されていることと、
端子構造体が、導電構造体の第１の部分に連結され、導電構造体に電力を供給するように構成、配置されていることと、
サーモスタット構造体が、導電構造体の第２の部分に連結されるように構成、配置されていることと、
インシュレータ支持構造体が、端子構造体とサーモスタット構造体と協働して、端子構造体とサーモスタット構造体の一方を所定位置に堅固に支持するように構成、配置されていることとを特徴とする、加熱器を組み立てる方法。
【請求項３０】
固定構造体が、インシュレータ支持構造体の第１の部分と係合する第１の部分と、取り付け構造体と係合する第２の部分とを含むことを特徴とする、請求項２４，２８又は２９に記載の方法。
【請求項３１】
固定構造体の第１の部分が、タブを含むことと、
インシュレータ支持構造体の第１の部分が、タブを受容するように構成、配置されたタブ受容開口を含むこととを特徴とする、請求項３０に記載の方法。
【請求項３２】
固定構造体の第２の部分が、タブを含むことと、
取り付け構造体が、タブを受容するように構成、配置されたタブ受容部を含むこととを特徴とする、請求項３０に記載の方法。
【請求項３３】
固定構造体の第２の部分が、取り付け構造体に溶接されていることを特徴とする、請求項３０に記載の方法。
【請求項３４】
固定構造体の第２の部分が、取り付け構造体に締め付けるように構成、配置された折り曲げ可能な締め付けタブを含むことを特徴とする、請求項３０に記載の方法。
【請求項３５】
取り付け構造体が、取り付け構造体の軸に対してＴ字型断面を有する外表面を含むことと、
固定構造体の折り曲げ可能な締め付けタブが、Ｔ字型断面を有する取り付け構造体の外表面に締め付けられていることとを特徴とする、請求項３４に記載の方法。
【請求項３６】
固定構造体の第２の部分が、取り付け構造体に溶接され、締め付けられるように構成、配置されていることを特徴とする、請求項３０に記載の方法。
【請求項３７】
端子構造体が、端子構造体の軸に対して第１の断面形状部と第２の断面形状部のうちの少なくとも一方を有する外表面を含むことと、
インシュレータ支持構造体の第２の部分が、第１の断面形状部と第２の断面形状部を受容するように構成、配置されていることとを特徴とする、請求項２４に記載の方法。
【請求項３８】
第１の断面形状部が、円形、正方形、長方形および楕円形のうちの一つを含むことと、
第２の断面形状部が円形、正方形、長方形、および楕円形のうちの別の一つを含むこととを特徴とする、請求項５８に記載の方法。
【請求項３９】
第１の断面形状部が、円形、正方形、長方形、および楕円形のうちの一つを含むことと、
第２の断面形状部が、円形、正方形、長方形、および楕円形のうちの別の一つを含むこととを特徴とする、請求項３２，３２又は３８に記載の方法。
【請求項４０】
固定構造体が、クリップ構造体を含むことを特徴とする、請求項２９に記載の方法。